(57)【要約】【課題】バイアス角度を大きくすることなくモアレ干渉縞の発生を抑えることができると共に安価に製造することが可能な電磁波遮断用フィルタを提供する。【解決手段】表示装置の前面に設置され、当該表示装置からの電磁波を遮断する格子状の繊維メッシュ１２であって、格子を形成する経糸１２Ａと鉛直方向Ｖとが成す角度θが予め定めた所定範囲内の角度であると共に、前記経糸１２Ａの前記鉛直方向Ｖと直交する水平方向における周期が、前記表示装置の画素の前記水平方向の幅の１／５〜１／３の範囲内であり、かつ前記画素の前記水平方向の幅と略同一であることを特徴とする。【選択図】図７
2008187039.tif 000002
【特許請求の範囲】
【請求項１】
表示装置の前面に設置され、当該表示装置からの電磁波を遮断する格子状の電磁波遮断用フィルタであって、
格子を形成する経糸と予め定めた第１の方向とが成す角度が予め定めた所定範囲内の角度であると共に、前記経糸の前記第１の方向と直交する第２の方向における周期が、前記表示装置の画素の前記第２の方向の幅の１／５〜１／３の範囲内であり、かつ前記画素を構成する各色の画素の前記第２の方向の幅と略同一であることを特徴とする電磁波遮断用フィルタ。
【請求項２】
前記所定範囲は、０度以上で且つ１５度以下であることを特徴とする請求項１記載の電磁波遮断用フィルタ。
【請求項３】
前記経糸と直交する横糸の前記第１の方向における周期をＴｍｙ、前記画素の前記第１の方向における周期をＴｐｖとした場合に、
（ｎ＋０．１５）／Ｔｐｖ  ＜  １／Ｔｍｙ  ＜  （ｎ＋０．４５）／Ｔｐｖ  若しくは、
（ｎ＋０．５５）／Ｔｐｖ  ＜  １／Ｔｍｙ  ＜  （ｎ＋０．８５）／Ｔｐｖ
（ｎは１〜７の何れかの整数）
を満たすように前記横糸の周期Ｔｍｙが設定されたことを特徴とする請求項１又は請求項２記載の電磁波遮断用フィルタ。
【請求項４】
前記横糸の周期Ｔｍｙは、前記横糸の径の５倍より大きいことを特徴とする請求項３記載の電磁波遮断用フィルタ。
【請求項５】
前記経糸及び前記横糸は、繊維で構成されたことを特徴とする請求項１乃至請求項４の何れか１項に記載の電磁波遮断用フィルタ。
【発明の詳細な説明】
【技術分野】
【０００１】
本発明は、電磁波遮断用フィルタに係り、より詳しくは、プラズマディスプレイテレビ等の表示装置の前面に設けられ、ディスプレイからの電磁波を遮蔽する電磁波遮断用フィルタに関する。
【背景技術】
【０００２】
従来、プラズマディスプレイ等の表示装置から放射される電磁波を遮蔽するための様々な電磁波遮断用フィルタが提案されている（例えば特許文献１参照）。電磁波遮断用フィルタとしては、銅箔をエッチングすることにより格子状のフィルタとしたエッチングメッシュ、有機繊維を銅メッキして織り込んだ繊維メッシュ等がある。
【０００３】
エッチングメッシュは高価な部材である銅の大半がエッチングにより失われるという問題があるが、これに対して、繊維メッシュで用いられる銅は失われる部分が少なく、比較的安価に製造することができる。
【０００４】
しかしながら、繊維メッシュは、繊維の径がエッチングメッシュの線幅よりも太くなるため、ディスプレイの画素の周期と繊維メッシュの糸の周期とに基づく干渉によるモアレ縞が発生しやすい、という問題があった。
【０００５】
この問題を解決するため、メッシュの経糸の方向とディスプレイの縦方向（鉛直方向）とが成す角度（バイアス角度）が大きくなるようにしたフィルタが提案されている（例えば特許文献１〜３参照）
【特許文献１】特開２００１−２２２８３号公報
【特許文献２】特開平１１−３３８３８３号公報
【特許文献３】特開平１１−３４０６８０号公報
【特許文献４】特開２０００−６６６１４号公報
【発明の開示】
【発明が解決しようとする課題】
【０００６】
しかしながら、繊維メッシュは、製造工程において経糸と横糸とを織り込んだメッシュ状のものから必要な大きさに裁断することにより作製するため、バイアス角度を大きくすると裁断によって失われる部分が大きくなり、コストが増加する、という問題があった。
【０００７】
本発明は、上記問題を解決すべく成されたものであり、バイアス角度を大きくすることなくモアレ干渉縞の発生を抑えることができると共に安価に製造することが可能な電磁波遮断用フィルタを提供することを目的とする。
【課題を解決するための手段】
【０００８】
上記目的を達成するために、請求項１記載の発明は、表示装置の前面に設置され、当該表示装置からの電磁波を遮断する格子状の電磁波遮断用フィルタであって、格子を形成する経糸と予め定めた第１の方向とが成す角度が予め定めた所定範囲内の角度であると共に、前記経糸の前記第１の方向と直交する第２の方向における周期が、前記表示装置の画素の前記第２の方向の幅の１／５〜１／３の範囲内であり、かつ前記画素を構成する各色の画素の前記第２の方向の幅と略同一であることを特徴とする。
【０００９】
この発明によれば、電磁波遮断用フィルタは、以下の条件を満足するように構成されている。
【００１０】
（１）格子を形成する経糸と予め定めた第１の方向とが成す角度が予め定めた所定範囲内の角度である。なお、第１の方向は、例えば表示装置の縦方向（鉛直方向）とすることができる。また、所定範囲は、例えば請求項２に記載したように、０度以上で且つ１５度以下とすることが好ましい。これにより、電磁波遮断用フィルタを１枚のフィルタから裁断することにより製造する際に、失われる部分を少なくすることができ、安価に電磁波遮断用フィルタを製造することが可能となる。
【００１１】
（２）前記経糸の前記第１の方向と直交する第２の方向における周期が、前記表示装置の画素の前記第２の方向の幅の１／５〜１／３の範囲内である。なお、第２の方向は、例えば表示装置の横方向（水平方向）とすることができる。
【００１２】
（３）前記経糸の前記第１の方向と直交する第２の方向における周期が、前記画素を構成する各色の画素の前記第２の方向の幅と略同一である。
【００１３】
上記のように電磁波遮断用フィルタを構成することにより、モアレ干渉縞の発生を抑えることができると共に安価に製造することが可能となる。
【００１４】
なお、請求項３に記載したように、前記経糸と直交する横糸の前記第１の方向における周期をＴｍｙ、前記画素の前記第１の方向における周期をＴｐｖとした場合に、
【００１５】
（ｎ＋０．１５）／Ｔｐｖ  ＜  １／Ｔｍｙ  ＜  （ｎ＋０．４５）／Ｔｐｖ  若しくは、
【００１６】
（ｎ＋０．５５）／Ｔｐｖ  ＜  １／Ｔｍｙ  ＜  （ｎ＋０．８５）／Ｔｐｖ
【００１７】
（ｎは１〜７の何れかの整数）
【００１８】
を満たすように前記横糸の周期Ｔｍｙが設定されることが好ましい。これにより、よりモアレ干渉縞を低減することができる。
【００１９】
また、請求項４に記載したように、前記横糸の周期Ｔｍｙは、前記横糸の径の５倍より大きいことが好ましい。これにより、開口率を確保して明度を十分に確保することができる。
【００２０】
また、請求項５に記載したように、前記経糸及び前記横糸は、繊維で構成された構成とすることができる。これにより、電磁波遮断用フィルタを安価に製造することができる。
【発明の効果】
【００２１】
以上説明したように、本発明によれば、バイアス角度を大きくすることなくモアレ干渉縞の発生を抑えることができると共に安価に製造することが可能になる、という効果を有する。
【発明を実施するための最良の形態】
【００２２】
以下、図面を参照して本発明の実施形態について詳細に説明する。なお、本実施形態では、電磁波遮断用フィルタとして繊維メッシュを用いた場合について説明する。
【００２３】
まず、ディスプレイの画素の周期と繊維メッシュの糸の周期とに基づく干渉によるモアレ縞の発生メカニズムについて説明する。なお、本実施形態では、一例として、Ｒ（赤）、Ｇ（緑）、Ｂ（青）の発光体が縦横に繰り返し配置されたプラズマディスプレイのパネルと、その前面に配置する電磁波遮断用フィルタとしての繊維メッシュの干渉によるモアレ縞の発生メカニズムについて説明する。
【００２４】
モアレ縞の発生メカニズムについては、空間周波数上において以下のように説明することができる。
【００２５】
例えば実空間上において、図１に示すように水平方向ＨにＴｐｈ、当該水平方向と直交する鉛直方向ＶにＴｐｖの間隔で周期的に配置された画素１０は、空間周波数上では、図２に示すように（ｌＦｐｈ、ｍＦｐｖ）の座標に離散的な値を有する。ここで、Ｆｐｈ＝１／Ｔｐｈ、Ｆｐｖ＝１／Ｔｐｖ、ｌ、ｍ：０，±１，±２，・・・である。なお、画素１０は、Ｒ，Ｇ，Ｂ３色の画素１０Ｒ、画素１０Ｇ、画素１０Ｂを含んで構成されている。
【００２６】
そして、各座標の値は、画素１０が電極線等により分割されていない場合は、水平方向Ｈの周期に関する強度ａｌ（ｌ＝・・・−２，−１，０，１，２・・・）と、鉛直方向Ｖの周期に関する強度ｂｍ（ｍ＝・・・−２，−１，０，１，２・・・）との積により表わすことができる。ここで、ａｌ、ｂｍは次式で表わされる。
【００２７】
ａｌ＝τｐｈ／Ｔｐｈ  （ｌ＝０）    ・・・（１）
【００２８】
ａｌ＝ｓｉｎ（ｌπ×（τｐｈ／Ｔｐｈ））／ｌπ  （ｌ≠０）  ・・・（２）
【００２９】
ｂｍ＝τｐｖ／Ｔｐｖ  （ｍ＝０）    ・・・（３）
【００３０】
ｂｍ＝ｓｉｎ（ｍπ×（τｐｖ／Ｔｐｖ））／ｍπ  （ｍ≠０）  ・・・（４）
【００３１】
なお、τｐｈは図１に示すように各色の画素の水平方向Ｈの幅、τｐｖは図１に示すように各色の画素の鉛直方向Ｖの長さである。
【００３２】
強度ａｌ、ｂｍの絶対値は、ｌ≠０、ｍ≠０の場合、分母にｌ、ｍが含まれるため、ｌ、ｍの絶対値が小さい場合に大きい値となり、ｌ、ｍの絶対値が大きい場合に小さい値となる。
【００３３】
図３には、一例として画素１０の水平方向Ｈの周期Ｔｐｈが０．８ｍｍ、鉛直方向Ｖの周期Ｔｐｖが０．４２ｍｍ、各色の画素の水平方向Ｈの幅τｐｈが０．２２ｍｍ、鉛直方向Ｖの長さτｐｖが０．３２ｍｍのディスプレイパネルにおける、座標（ｌＦｐｈ、ｍＦｐｖ）のａｌ×ｂｍの絶対値を円の大きさで表わしたものを示した。同図において、‘×’マークが各座標を表わし、その‘×’マークを囲む円又は半円の大きさがａｌ×ｂｍの絶対値の大きさを示している。
【００３４】
また、実空間上において、図４に示すように、繊維メッシュ１２の経糸１２Ａの水平方向Ｈの周期をＴｍｘ、横糸１２Ｂの鉛直方向Ｖの周期をＴｍｙとすると、周期Ｔｍｘ、Ｔｍｙの間隔で配置されたメッシュ（開口部）１４は、空間周波数上においては、バイアス角度が０度の場合には図５に示すように（ｉＦｍｘ、ｊＦｍｙ）の座標に離散的な値を有する。ここで、Ｆｍｘ＝１／Ｔｍｘ、Ｆｍｙ＝１／Ｔｍｙ、ｉ、ｊ：０，±１，±２，・・・である。なお、経糸１２Ａは、パネルに対して概ね縦方向に延びる糸であり、横糸１２Ｂはパネルに対して概ね横方向に延びる糸である。
【００３５】
そして、各座標の値は、水平方向Ｈの周期に関する強度ｃｉ（ｉ＝・・・−２，−１，０，１，２・・・）と、鉛直方向Ｖの周期に関する強度ｄｊ（ｊ＝・・・−２，−１，０，１，２・・・）との積により表わすことができる。ここで、ｃｉ、ｄｊは次式で表わされる。
【００３６】
ｃｉ＝τｍｘ／Ｔｍｘ  （ｉ＝０）    ・・・（５）
【００３７】
ｃｉ＝ｓｉｎ（ｉπ×（τｍｘ／Ｔｍｘ））／ｉπ  （ｉ≠０）  ・・・（６）
【００３８】
ｄｊ＝τｍｙ／Ｔｍｙ  （ｊ＝０）    ・・・（７）
【００３９】
ｄｊ＝ｓｉｎ（ｊπ×（τｍｙ／Ｔｍｙ））／ｊπ  （ｊ≠０）  ・・・（８）
【００４０】
なお、τｍｘは図５に示すようにメッシュ１４の水平方向Ｈの長さ、τｍｙは図４に示すようにメッシュ１４の鉛直方向Ｖの長さである。すなわち、図４に示すように経糸１２Ａ及び横糸１２Ｂの径をＤｍとすると、τｍｘ＝Ｔｍｘ−Ｄｍ、τｍｙ＝Ｔｍｙ−Ｄｍである。
【００４１】
強度ｃｉ、ｄｊの絶対値は、ディスプレイパネルの場合と同様に、ｉ≠０、ｊ≠０の場合、分母にｌ、ｍが含まれるため、ｉ、ｊの絶対値が小さい場合に大きい値となり、ｉ、ｊの絶対値が大きい場合に小さい値となる。
【００４２】
図６には、一例として経糸１２Ａの水平方向Ｈの周期Ｔｍｘが０．２２ｍｍ、横糸１２Ｂの鉛直方向Ｖの周期Ｔｍｙが０．１８ｍｍ、経糸１２Ａ及び横糸１２Ｂの径Ｄｍが０．０３ｍｍでバイアス角度が０度の繊維メッシュにおける、座標（ｉＦｍｘ、ｊＦｍｙ）のｃｉ×ｄｊの絶対値を円の大きさで表わしたものを示した。同図において、‘◆’マークが各座標を表わし、その‘◆’マークを囲む円又は半円の大きさがｃｉ×ｄｊの絶対値の大きさを示している。
【００４３】
バイアス角度がθの場合は、空間周波数上の座標が、（ｉＦｍｘ・ｃｏｓθ−ｊＦｍｙ・ｓｉｎθ、ｉＦｍｘ・ｓｉｎθ＋ｊＦｍｙ・ｃｏｓθ）となり、強度は前述したものと同様となる。
【００４４】
モアレ干渉縞の強度は、ａｌ・ｂｍ・ｃｉ・ｄｊの絶対値で表わされ、人間の認知レベルは、その強度に、空間周波数上におけるディスプレイパネルの座標（ｌＦｐｈ、ｍＦｐｖ）、繊維メッシュの座標（ｉＦｍｘ、ｊＦｍｙ）の２次元平面上における２点間の距離の逆数により求められるモアレ干渉縞の間隔と、２点を結ぶベクトルにより表わされるモアレ干渉縞の傾きにより定まる視覚特性荷重とを掛け合わせたものとなる。
【００４５】
一般的に、ディスプレイの一つ一つの画素の大きさは、人間が識別できる大きさよりも小さいため、（ｌＦｐｈ、ｍＦｐｖ）、（ｉＦｍｘ、ｊＦｍｙ）の２点間の距離が、Ｆｐｈ，Ｆｐｖよりも大きい場合には、干渉縞の間隔が画素１０の周期よりも小さくなるため、人間の目には認識されない。従って、モアレ干渉縞は、上記２点間の距離がＦｐｈ，Ｆｐｖ以下の場合に認識されることとなる。
【００４６】
このため、モアレ干渉縞を低減するためには、第１の条件として、ａｌ・ｂｍ・ｃｉ・ｄｊの絶対値が第１の所定閾値以下であること、第２の条件として、（ｌ＝０，ｍ＝０，ｉ＝０，ｊ＝０）の場合を除いて、空間周波数上における座標（ｌＦｐｈ、ｍＦｐｖ）、座標（ｉＦｍｘ、ｊＦｍｙ）の２点間の距離が所定距離以下となる（ｌ，ｍ，ｉ，ｊ）の組合わせが存在する場合に、ｌ，ｍ，ｉ，ｊそれぞれの絶対値が第２の所定閾値以上であること、の２つの条件が重要となる。
【００４７】
ここで、第１の所定閾値は、ａｌ・ｂｍ・ｃｉ・ｄｊの絶対値がこの値以下であれば、モアレ干渉縞が人間の目に視認されないと判断できる値である。また、所定距離は、２点間の距離がこの距離以下の場合にモアレ干渉縞が人間の目に認識されると判断できる距離であり、例えばＦｐｈ又はＦｐｖと同じ値に設定される。また、第２の所定閾値は、ｌ，ｍ，ｉ，ｊそれぞれの絶対値がこの値以上であれば、モアレ干渉縞が人間の目に視認されないと判断できる値である。
【００４８】
以下、第１の条件を満たす場合について説明する。まず、強度ｅ（ｘ）の基本式は以下のように表わすことができる。
【００４９】
ｅ（ｘ）＝ｓｉｎ（ｘπτ／Ｔ）／ｘπ    ・・・（９）
【００５０】
上記（９）式は、ｘ＝ｎＴ／τ（ｎ＝・・・，−２，−１，０，１，２，・・・）の場合にはｅ（ｘ）＝０となる。
【００５１】
繊維メッシュの経糸１２Ａの水平方向Ｈの周期Ｔｍｘを、画素１０の水平方向Ｈの幅τｐｈとした場合、バイアス角度が小さい場合には、ｉＦｍｘ・ｃｏｓθ−ｊＦｍｙ・ｓｉｎθ≒ｉＦｍｘ＝ｉ／τｐｖであり、繊維メッシュの空間座標上の離散点（ｉＦｍｘ、ｊＦｍｙ）に近いディスプレイパネルの画素の空間座標上の離散点（ｌＦｐｈ、ｍＦｐｖ）の強度ａｌ・ｂｍのａｌの絶対値は、ｉ／τｐｖ≒ｌＦｐｈより、ｌ≒ｉ・Ｔｐｈ／τｐｖであり、小さい値となって前述のｅ（ｘ）＝０となる条件に近くなる。従ってモアレ干渉縞の強度が小さくなり、人間の目に視認されない程度となる。このため、本実施形態では、繊維メッシュの経糸１２Ａの水平方向Ｈの周期Ｔｍｘを、画素１０の水平方向Ｈの幅τｐｈと同一とする。これにより、モアレを低減することができる。
【００５２】
図１に示すように、Ｒ，Ｇ，Ｂの画素が水平方向Ｈに沿って配置されているプラズマディスプレイ等においては、画素１０の水平方向Ｈの周期Ｔｐｈは、各色の画素の水平方向Ｈの幅τｐｈの３倍よりも大きい。また、各色の画素の水平方向Ｈの幅が、各色の画素間の水平方向Ｈの幅以下となると、ディスプレイパネル全体における各色の画素が占める面積よりも、各色の画素以外の部分が占める面積の方が大きくなってしまう。このため、画素１０の水平方向Ｈの周期Ｔｐｈは、各色の画素の水平方向Ｈの幅τｐｈの５倍よりも小さいのが一般的である。このように、画素１０の水平方向Ｈの周期Ｔｐｈは、各色の画素の水平方向Ｈの幅τｐｈの３倍よりも大きく、その５倍よりも小さい範囲にあるのが一般的である。
【００５３】
従って、本実施形態では、繊維メッシュの経糸１２Ａの水平方向Ｈの周期Ｔｍｘを、画素１０の水平方向Ｈの幅Ｔｐｈの１／５〜１／３の範囲内とする。これにより、モアレ干渉縞を低減することが可能となる。
【００５４】
これに対して、画素１０の鉛直方向Ｖの周期Ｔｐｖは、画素１０の鉛直方向Ｖの長さτｐｖの２倍よりも小さいのが一般的である。このため、繊維メッシュの横糸１２Ｂの鉛直方向Ｖの周期Ｔｍｙをτｐｖに近づけることは困難である。
【００５５】
そこで、本実施形態では、第２の条件を満たすために必要な条件として、以下の条件を満たすように、繊維メッシュの横糸１２Ｂの鉛直方向Ｖの周期Ｔｍｙを設定する。
【００５６】
（ｎ＋０．１５）／Ｔｐｖ  ＜  １／Ｔｍｙ  ＜  （ｎ＋０．４５）／Ｔｐｖ  若しくは、
【００５７】
（ｎ＋０．５５）／Ｔｐｖ  ＜  １／Ｔｍｙ  ＜  （ｎ＋０．８５）／Ｔｐｖ
【００５８】
ここで、ｎは１〜７の何れかの整数である。
【００５９】
なお、上記の条件は、以下のように書き直すことができる。
【００６０】
（ｎ＋０．１５）Ｆｐｖ  ＜  Ｆｍｙ  ＜  （ｎ＋０．４５）Ｆｐｖ  若しくは、
【００６１】
（ｎ＋０．５５）Ｆｐｖ  ＜  Ｆｍｙ  ＜  （ｎ＋０．８５）Ｆｐｖ
【００６２】
ここで、ｎは１〜７の何れかの整数である。
【００６３】
上記の条件は、ｍＦｐｖとｊＦｍｙが近い値となり人間の目にモアレ干渉縞が認識されやすくなるのを避けるための条件である。
【００６４】
なお、（ｎ＋０．５）Ｆｐｖ≒Ｆｍｙの条件では、（２ｎ＋１）Ｆｐｖ≒２Ｆｍｙとなるため、好ましくない。
【００６５】
また、ｎを１〜７の何れかの整数としたのは、ｎ＝０では、メッシュの目が粗くなり充分な電磁波遮断性能が得られず、ｎ＞７では、メッシュの開口率が小さくなり十分な明度が得にくく、繊維の量が多くなりコストアップにつながるためである。
【００６６】
また、繊維メッシュの横糸１２Ｂの鉛直方向Ｖの周期Ｔｍｙは、当該横糸１２Ｂの径Ｄｍの５倍より大きくすることが好ましい。これは、横糸１２Ｂの鉛直方向Ｖの周期Ｔｍｙが、当該横糸１２Ｂの径Ｄｍの５倍以下となると、開口率が小さくなって十分な明度を確保できなくなるためである。
【００６７】
さらに、前述したように繊維メッシュの製造では、図７に示すように経糸１２Ａと横糸１２Ｂとを織り込んだメッシュ１６から繊維メッシュ１２を裁断するため、バイアス角度θを大きくすると裁断によって失われる部分が大きくなる。このため、繊維メッシュ１２の経糸１２Ａと鉛直方向Ｖとの成す角度、すなわちバイアス角度θが０度以上で且つ１５度以下の範囲となるように裁断することが好ましい。
【００６８】
上記のように繊維メッシュの経糸１２Ａの水平方向Ｈの周期Ｔｍｘ、横糸１２Ｂの鉛直方向Ｖの周期Ｔｍｙを設定し、バイアス角度θを上記のように設定することにより、モアレ干渉縞の発生を抑えることができると共に安価に製造することができる繊維メッシュが得られる。
【００６９】
なお、本実施形態では、電磁波遮断用フィルタとして繊維メッシュを用いた場合について説明したが、本発明はこれに限られるものではなく、エッチングメッシュ等の他のメッシュにも適用可能である。
【００７０】
また、本実施形態では、電磁波遮断用フィルタの対象としてプラズマディスプレイを用いた場合について説明したが、これに限らず。Ｒ，Ｇ，Ｂの画素が縦横方向に並置されたようなディスプレイであれば他のディスプレイにも適用可能である。
【実施例】
【００７１】
次に、本発明の実施例について説明する。
【００７２】
図８には、画素１０の水平方向Ｈの周期Ｔｐｈが０．８ｍｍ、画素１０の鉛直方向Ｖの周期Ｔｐｖが０．４２ｍｍ、各色の画素の水平方向Ｈの幅τｐｈが０．２２ｍｍ、各色の画素の鉛直方向Ｖの長さτｐｖが０．３２ｍｍのディスプレイパネルに対して、経糸１２Ａ及び横糸１２Ｂの径Ｄｍをともに０．２９ｍｍとした繊維メッシュをバイアス角度０度で前面に配置した場合にモアレ干渉縞が生じる範囲についてシミュレーションした結果を示した。
【００７３】
なお、横軸は経糸１２Ａの水平方向Ｈの周期Ｔｍｘ、縦軸は横糸１２Ｂの鉛直方向Ｖの周期Ｔｍｙを表わしており、各々０．１５ｍｍ〜０．３ｍｍの範囲について示した。
【００７４】
また、シミュレーションでは、ａｌ・ｂｍ・ｃｉ・ｄｊの絶対値で表わされるモアレ干渉縞の強度に、ディスプレイパネルの画素の空間座標上の離散点（ｌＦｐｈ、ｍＦｐｖ）と繊維メッシュの空間座標上の離散点（ｉＦｍｘ、ｊＦｍｙ）との２点間の距離の逆数により求められるモアレ干渉縞の間隔と、その２点間を結ぶベクトルにより表わされるモアレ干渉縞の傾きにより定まる視覚特性荷重を掛け合わせることによりモアレ干渉縞の人間の認知レベルを求めることにより行った。
【００７５】
図８において左斜め上方向の斜線によりハッチングされた領域２０はモアレが強く現れる範囲を示しており、右斜め上方向の斜線によりハッチングされた領域２２はモアレが弱く現れる範囲を示しており、白い領域２４はほとんどモアレが現れない範囲である。
【００７６】
なお、縦軸の矢印２６で示す範囲は、モアレが弱く現れる周期Ｔｍｙの範囲を示しており、前述したモアレが認識されにくくなるＴｍｙの条件を満たす範囲である。
【００７７】
また、図９には、画素１０の水平方向Ｈの周期Ｔｐｈが０．８１ｍｍ、画素１０の鉛直方向Ｖの周期Ｔｐｖが０．８１ｍｍ、各色の画素の水平方向Ｈの幅τｐｈが０．２２ｍｍ、各色の画素の鉛直方向Ｖの長さτｐｖが０．７１ｍｍのディスプレイパネルとした以外については図８の場合と同様の条件でシミュレーションした結果を示した。
【００７８】
また、図１０には、画素１０の水平方向Ｈの周期Ｔｐｈが０．９ｍｍ、画素１０の鉛直方向Ｖの周期Ｔｐｖが０．５１ｍｍ、各色の画素の水平方向Ｈの幅τｐｈが０．２５ｍｍ、各色の画素の鉛直方向Ｖの長さτｐｖが０．４１ｍｍのディスプレイパネルとした以外については図８の場合と同様の条件でシミュレーションした結果を示した。
【００７９】
また、図１１には、画素１０の水平方向Ｈの周期Ｔｐｈが０．９ｍｍ、画素１０の鉛直方向Ｖの周期Ｔｐｖが０．６７５ｍｍ、各色の画素の水平方向Ｈの幅τｐｈが０．２５ｍｍ、各色の画素の鉛直方向Ｖの長さτｐｖが０．５７５ｍｍのディスプレイパネルとした以外については図８の場合と同様の条件でシミュレーションした結果を示した。
【００８０】
何れの場合においても、縦軸の矢印２６で示す範囲、すなわち前述したモアレが認識されにくくなるＴｍｙの条件を満たす範囲が、実際にモアレが弱く現れる領域２２又はモアレが現れない領域２４を含んでおり、モアレを低減できることが確認できた。
【図面の簡単な説明】
【００８１】
【図１】ディスプレイの画素の周期等について説明するための図である。
【図２】空間周波数上のおけるディスプレイの各画素の配置について説明するための図である。
【図３】空間周波数上のおけるディスプレイの各画素の強度について説明するための図である。
【図４】繊維メッシュの経糸や横糸の周期等について説明するための図である。
【図５】空間周波数上のおける繊維メッシュの各メッシュの配置について説明するための図である。
【図６】空間周波数上のおける繊維メッシュの各メッシュの強度について説明するための図である。
【図７】バイアス角度について説明するための図である。
【図８】モアレ干渉縞が生じる範囲についてシミュレーションした結果を示す図である。
【図９】モアレ干渉縞が生じる範囲についてシミュレーションした結果を示す図である。
【図１０】モアレ干渉縞が生じる範囲についてシミュレーションした結果を示す図である。
【図１１】モアレ干渉縞が生じる範囲についてシミュレーションした結果を示す図である。
【符号の説明】
【００８２】
１０      画素
１２      繊維メッシュ
１２Ａ      経糸
１２Ｂ      横糸
【図１】
2008187039.tif 000003
【図２】
2008187039.tif 000004
【図３】
2008187039.tif 000005
【図４】
2008187039.tif 000006
【図５】
2008187039.tif 000007
【図６】
2008187039.tif 000008
【図７】
2008187039.tif 000009
【図８】
2008187039.tif 000010
【図９】
2008187039.tif 000011
【図１０】
2008187039.tif 000012
【図１１】
2008187039.tif 000013